(57)【要約】【課題】前面側および背面側に十分なスペースを確保することができる商品読取装置を提供することを課題とする。【解決手段】商品読取装置は、読み取り対象となる商品を取り扱う作業スペースに対向した鉛直方向に沿った平らな前面を有する筐体と、筐体の作業スペースと反対の背面側に着脱可能に設けられ、上方に向けて前面に近付く方向に傾斜した背面を有する背面カバーと、筐体の前面に配置した読取部を有して筐体内に設けた読取ユニットと、読取ユニットの下方で筐体内に設けた、読取ユニットより前後方向の寸法が大きい機能ユニットと、機能ユニットの前面を筐体の前面と面一に配置するように機能ユニットを筐体内に着脱可能に収容する収容部と、を有する。【選択図】      図１
2019139580.tif 000002
【特許請求の範囲】
【請求項１】
読み取り対象となる商品を取り扱う作業スペースに対向した鉛直方向に沿った平らな前面を有する筐体と、
前記筐体の前記作業スペースと反対の背面側に着脱可能に設けられ、上方に向けて前記前面に近付く方向に傾斜した背面を有する背面カバーと、
前記筐体の前記前面に配置した読取部を有して前記筐体内に設けた読取ユニットと、
前記読取ユニットの下方で前記筐体内に設けた、前記読取ユニットより前後方向の寸法が大きい機能ユニットと、
前記機能ユニットの前面を前記筐体の前記前面と面一に配置するように前記機能ユニットを前記筐体内に着脱可能に収容する収容部と、
を有する商品読取装置。
【請求項２】
前記背面カバーの前記背面に設けた情報表示部をさらに有する、
請求項１の商品読取装置。
【請求項３】
前記読取ユニットの前記読取部は、前記筐体の前記前面と面一に配置される読取窓を有する、
請求項１の商品読取装置。
【請求項４】
前記機能ユニットは、外殻をなす筐体を有し、レシートの基材となるロール紙を当該筐体内に有するプリンタであり、
前記プリンタの前記筐体が前記収容部に対して着脱可能である、
請求項１の商品読取装置。
【請求項５】
前記収容部から前記プリンタの前記筐体を取り外した状態で、前記背面カバーの代りに前記商品読取装置の前記筐体の前記背面側に着脱可能に取り付ける、鉛直方向に沿った平らな背面を有する別の背面カバーをさらに有する、
請求項４の商品読取装置。
【発明の詳細な説明】
【技術分野】
【０００１】
本発明の実施形態は、例えば、商品のバーコードを読み取るスキャナを備えた商品読取装置に関する。
【背景技術】
【０００２】
商品を購入する客自身が操作するセルフＰＯＳ（point of sales）システムの端末は、商品のバーコードを読み取るスキャナを有する。端末を操作する客が複数の商品をカゴから出してスキャナにかざすため、セルフＰＯＳの前面側には、商品を取り扱うための比較的広いスペースが必要となる。
【０００３】
また、商品を販売する店の店員が商品をスキャナにかざしてバーコードを読み取る端末でも、前面側に比較的広い作業スペースが必要となる。また、この場合、端末を間に挟んで反対側に客が通るための通路が必要であり、端末の背面側にもある程度のスペースが必要となる。
【先行技術文献】
【特許文献】
【０００４】
【特許文献１】特開２０１４−３８６４９号公報
【発明の概要】
【発明が解決しようとする課題】
【０００５】
しかし、上述したＰＯＳシステムの端末は、商品のバーコードを読み取るスキャナに加えて、レシートを発行するプリンタやカードを読み取るカードリーダなどの各種装置を備えている。このため、これらの装置のレイアウトを工夫しないと、端末の周辺（前面側や背面側）に十分なスペースを確保することが難しい。
【０００６】
よって、前面側および背面側に十分なスペースを確保することができる商品読取装置の開発が望まれている。
【課題を解決するための手段】
【０００７】
実施形態に係る商品読取装置は、読み取り対象となる商品を取り扱う作業スペースに対向した鉛直方向に沿った平らな前面を有する筐体と、筐体の作業スペースと反対の背面側に着脱可能に設けられ、上方に向けて前面に近付く方向に傾斜した背面を有する背面カバーと、筐体の前面に配置した読取部を有して筐体内に設けた読取ユニットと、読取ユニットの下方で筐体内に設けた、読取ユニットより前後方向の寸法が大きい機能ユニットと、機能ユニットの前面を筐体の前面と面一に配置するように機能ユニットを筐体内に着脱可能に収容する収容部と、を有する。
【図面の簡単な説明】
【０００８】
【図１】図１は、実施形態に係る商品読取装置を前面側から見た外観斜視図である。
【図２】図２は、図１の商品読取装置を斜め後ろから見た背面側外観斜視図である。
【図３】図３は、図１の商品読取装置の背面カバーを筐体のフレームから取り外した状態を斜め後方から見た背面側斜視図である。
【図４】図４は、図３の背面カバーとフレームを斜め前方から見た斜視図である。
【図５】図５は、図４の背面カバーからブラケットを取り外した状態を示す斜視図である。
【図６】図６は、図５のブラケットをサブフレームに取り付けた状態を示す斜視図である。
【図７】図７は、図６のブラケットをサブフレームから取り外す動作を説明するための斜視図である。
【図８】図８は、図６のブラケットをサブフレームから取り外した状態を示す斜視図である。
【図９】図９は、図１の商品読取装置の背面カバーをフラットカバーに付け替えた状態を斜め前方から見た外観斜視図である。
【図１０】図１０は、図９のフラットカバーを有する商品読取装置を斜め後方から見た背面側斜視図である。
【発明を実施するための形態】
【０００９】
以下、図面を参照しながら実施形態について詳細に説明する。  
図１に示すように、実施形態に係る商品読取装置１００は、商品を販売する店の店員（図示せず）が対向する前面１１を有する筐体１０を有する。また、図２に示すように、商品読取装置１００は、商品を購入する客（図示せず）が通る通路に対向する背面２１を有する背面カバー２０を有する。背面カバー２０は、後述するように、筐体１０の背面側に着脱可能に取り付けられる。
【００１０】
筐体１０の前面１１側には、読み取り対象となる商品を店員が取り扱うための比較的広い作業スペースＳを確保する必要がある。筐体１０の前面１１は、作業スペースＳをできるだけ広くするため、鉛直方向に沿った平らな（突起物の無い）平面に形成されている。筐体１０の前面１１を平らな垂直面にすると、後述するスキャナユニット３０の読取窓３２（読取部）に商品をかざす際に、商品が突起物にぶつかることがなく、作業性を向上させることができる。
【００１１】
作業スペースＳと筐体１０の間には、商品を入れたカゴが商品読取装置１００に衝突することを防止するための保護ガイド１１０が取り付けられている。保護ガイド１１０は、カゴを置く台１２０の上面１２１から上方に突出して設けられている。保護ガイド１１０の形状は図示のものに限らずいかなる形状のものであってもよい。また、保護ガイド１１０は必須の構成ではない。
【００１２】
背面カバー２０の背面２１は、上方に向けて筐体１０の前面１１に近付く方向に傾斜している。背面２１は、傾斜した平らな面であってもよく、本実施形態のように、通路側に突出してわずかに湾曲した形状であってもよい。いずれにしても、背面カバー２０の背面２１をその上端が前面１１に近付く方向に傾斜させることで、その分、商品読取装置１００の背面側の空間を広くすることができ、且つ、背面２１を客から見易い角度に配置することができる。
【００１３】
つまり、背面２１は、客に対する各種情報、例えば、商品に関する情報やレジ袋に関する案内などを表示する情報表示部として機能する。具体的には、背面２１には、例えば、情報を印刷した紙を入れる透明な樹脂ポケットを設けたり、レジ袋が不要な場合にカゴに入れるカードを収納したケースを取り付けたりすることができる。背面２１に磁性体の板を設けて磁石を取り付け可能としてもよい。或いは、背面カバー２０に表示パネルを組み込んで背面２１に動画などの各種情報を表示するようにしてもよい。
【００１４】
背面側を背面カバー２０で覆った筐体１０内には、例えば、スキャナユニット３０（読取ユニット）、およびプリンタユニット４０（機能ユニット）が設けられている。本実施形態では、スキャナユニット３０とプリンタユニット４０を上下に並べて筐体１０内に収容配置した。このため、商品読取装置１００の上述した筐体１０および背面カバー２０は、比較的縦長の構造を有する。
【００１５】
スキャナユニット３０は、筐体１０の前面１１と面一に配置可能な前面３１を有する。スキャナユニット３０は、筐体１０内の上方に配置されている。スキャナユニット３０の前面３１には、商品のバーコードを読み取るための読取窓３２が設けられている。読取窓３２は、図１に示すように筐体１０の前面１１と略平行になる姿勢に配置可能であるとともに、図９に示すように筐体１０の前面１１に対して下方に傾斜した姿勢に配置可能である。つまり、スキャナユニット３０は、読取窓３２を任意の角度に傾斜させる図示しないチルト機構を備えている。
【００１６】
プリンタユニット４０は、筐体１０の下方に設けた収容部１２（図１、図９）に対して挿抜可能（着脱可能）に収容配置されている。つまり、スキャナユニット３０の下方に、プリンタユニット４０の筐体４５を着脱可能に収容配置するための矩形箱状の収容部１２を設けた。収容部１２の前面側は、筐体１０の前面１１に開放している。プリンタユニット４０は、例えば、図９および図１０に示すように、収容部１２から抜き出して単体で設置可能なように、装置の外殻をなす矩形箱状の筐体４５を有する。
【００１７】
収容部１２は、プリンタユニット４０の前面４１を筐体１０の前面１１と略面一に配置するように、プリンタユニット４０を受け入れる。つまり、収容部１２は、筐体４５を上記のように位置決めして収納可能な構造および大きさを有する。プリンタユニット４０内には、レシートの基材となるロール紙（図示せず）が収容配置されている。プリンタユニット４０の前面４１には、レシートを排出するための排出口４２が設けられている。
【００１８】
プリンタユニット４０を収容する収容部１２は、筐体１０の下端より上方に離間した位置に設けられている。これにより、プリンタユニット４０にロール紙を給紙する際に、プリンタユニット４０を収容部１２から前方に大きく引き出すことができる。つまり、筐体１０の前面１１側には、上述した保護ガイド１１０が設けられているため、保護ガイド１１０が台１２０の上面から上方に突出した高さより高い位置に収容部１２を設け、収容部１２から引き出したプリンタユニット４０が保護ガイド１１０に干渉しないようにしている。
【００１９】
ロール紙は、交換回数を少なくするため、比較的大径のものが使用される。このため、レシートの排出口４２を前面４１に有するプリンタユニット４０の筐体４５は、ロール紙の径方向、すなわちプリンタユニット４０の上下方向および前後方向に所定の大きさを有する。このため、本実施形態では、プリンタユニット４０を筐体１０の下方に配置し、プリンタユニット４０の筐体４５の背面側を背面カバー２０の内面に向けて突出させた。
【００２０】
つまり、本実施形態では、スキャナユニット３０より前後方向の寸法が大きいプリンタユニット４０を筐体１０の下方に配置して、その上にスキャナユニット３０を配置し、且つ、スキャナユニット３０の前面３１およびプリンタユニット４０の前面４１を筐体１０の前面１１と略面一に配置したため、筐体１０の背面側を覆う背面カバー２０を上述した形状（くさび型）にした。
【００２１】
このように、比較的大きなプリンタユニット４０を下方に配置し、比較的小さいスキャナユニット３０を上方に配置することで、筐体１０を安定して設置することができる。本実施形態では、収容部１２にプリンタユニット４０を収容配置したが、暗証番号の入力キー端末、サインインのための指紋認証端末、ドロワー、カードリーダなどをプリンタユニット４０の代りに収容部１２に収容配置することもできる。
【００２２】
また、商品読取装置１００は、図示しない制御基板を内蔵した操作パネル５０を有する。この他に、商品読取装置１００は、オプションとして、操作パネル５０の側面に取り付けたキーボード６０、およびサブパネル７０を備えている。
【００２３】
操作パネル５０は、前面側（店員側）に操作面５１を有し、筐体１０の上端に支持フレーム９０（図３、４）を介して回動可能に取り付けられている。つまり、操作パネル５０は、スキャナユニット３０のさらに上方に配置されている。操作パネル５０は、画像を表示可能な操作面５１にタッチセンサを備え、操作面５１に表示されている各種ボタンに店員が指で触れることで各種入力操作が可能となっている。
【００２４】
キーボード６０は、カードリーダ６１を備えている。キーボード６０は、乗算キー、小計キーなどを有する。カードリーダ６１は、クレジットカードやポイントカードに記録されたデータを読み取る。図１では、磁気カードを読み取り可能なカードリーダを示してあるが、接触式ＩＣカードや非接触式ＩＣカードを読み取り可能なものであってもよい。
【００２５】
サブパネル７０は、アーム７２を介して筐体１０の側方に突出して取り付けられている。アーム７２は、サブパネル７０の操作面７１を客に向けた図示の姿勢や操作面７１を店員に向けた姿勢にサブパネル７０を回動可能に支持している。サブパネル７０は、客が操作する端末として使用可能であるとともに、店員が操作する補助端末としても使用可能である。
【００２６】
以下、背面カバー２０の取り付け構造および着脱方法について、図３乃至図８を参照して説明する。背面カバー２０は、商品読取装置１００の筐体１０のフレーム２００に対し、２本のブラケット２１０を介して着脱可能に取り付けられる。２本のブラケット２１０は、背面カバー２０側に固定される。
【００２７】
図３および図４に示すように、筐体１０のフレーム２００は、縦長の略矩形枠状に形成されている。フレーム２００は、内部にスキャナユニット３０およびプリンタユニット４０をそれぞれ配置可能な空間を有する。フレーム２００の上端には、操作パネル５０を取り付けるための支持フレーム９０が取り付けられている。
【００２８】
また、フレーム２００は、その左右両側面に、縦長の２本のサブフレーム２０１を固定している。サブフレーム２０１は、１枚の金属板を断面ハット形に折り曲げた形状を有することでパイプ状に形成され、曲げやねじれに対する剛性が高められている。サブフレーム２０１は、かしめ留め、ネジ留め、溶接などにより、フレーム２００の側面にそれぞれ取り付けられる。
【００２９】
各サブフレーム２０１は、それぞれ、図３に示すように、後述するブラケット２１０の複数のフック２１２をそれぞれ係合させるための複数（本実施形態では４つ）の係合孔２０２を有する。複数の係合孔２０２は、背面カバー２０に向けて開口し、鉛直上下方向に互いに離間して並べて設けられている。２本のサブフレーム２０１は、左右対称な向きでフレーム２００に取り付けられる。
【００３０】
図４および図５に示すように、２本のブラケット２１０は、背面カバー２０の左右の側板２２、２２の内面にそれぞれ対向して取り付けられる。このとき、各ブラケット２１０は、複数のフック２１２を有する端辺が前方（フレーム２００側）を向く姿勢で背面カバー２０に取り付けられる。２本のブラケット２１０は、左右対称な向きで背面カバー２０に取り付けられる。
【００３１】
背面カバー２０の左右の側板２２の内側には、図５に示すように、ブラケット２１０を締結固定するための複数（本実施形態では３つ）のネジ穴２３ａを有する上下方向に延びた段部２３が設けられている。各ネジ穴２３ａは、それぞれ前後方向に延びるとともに、上下方向に互いに離間して段部２３に設けられている。
【００３２】
一方、各ブラケット２１０は、背面カバー２０のネジ穴２３ａに重なる複数（本実施形態では３つ）の挿通孔２１３を有する。２本のブラケット２１０は、複数本（本実施形態では３本）のネジ２１１を挿通孔２１３に挿通して背面カバー２０のネジ穴２３ａに螺合することで、背面カバー２０にそれぞれ締結固定される。
【００３３】
各ブラケット２１０の長手方向の両端、すなわち図示上端および下端には、背面カバー２０の側板２２から内側に向けて突出した２つの内側係合片２１４が設けられている。内側係合片２１４は、ブラケット２１０の内側に配置されるサブフレーム２０１の一部に当接し、ブラケット２１０とサブフレーム２０１との間に隙間を形成する。また、各ブラケット２１０は、背面カバー２０の側板２２に向けて外側に突出した２つの外側突出片２１５を有する。
【００３４】
ブラケット２１０の複数のフック２１２は、図４および図５に示すように、ブラケット２１０の前方の縁に沿って上下方向に互いに離間して設けられている。フック２１２は、下方に向けてかぎ状に突出した形状を有する。なお、ブラケット２１０は、略矩形の縦長の金属板を長手方向に沿った線で折り曲げた形状の断面Ｌ字状に形成されている。
【００３５】
図６は、商品読取装置１００を前方から見て背面カバー２０の左側に取り付けたブラケット２１０を筐体１０のサブフレーム２０１に取り付けた状態を示す斜視図である。図７は、図６の状態からブラケット２１０をサブフレーム２０１に対して上方にわずかにスライドさせた状態を示す斜視図である。図８は、図７の状態からブラケット２１０の複数のフック２１２をサブフレーム２０１の複数の係合孔２０２から抜いた状態を示す斜視図である。
【００３６】
背面カバー２０を筐体１０から取り外す場合、まず、背面カバー２０を筐体１０に対して上方にわずかに持ち上げる。これにより、図６に示す係合状態にあったブラケット２１０の複数のフック２１２がサブフレーム２０１の係合孔２０２に係合した状態が解除され、図７に示す状態になる。この後、背面カバー２０を筐体１０から離れる方向（背面側）に移動することで、ブラケット２１０の複数のフック２１２がサブフレーム２０１の対応する係合孔２０２から抜き取られ、図８に示す状態に分離される。
【００３７】
逆に、背面カバー２０を筐体１０に取り付ける場合、図８に示す状態からブラケット２１０の複数のフック２１２をサブフレーム２０１の対応する係合孔２０２にそれぞれ挿通し（図７の状態）、背面カバー２０を筐体１０に対して相対的に下方に押し下げる。これにより、ブラケット２１０の複数のフック２１２がサブフレーム２０１の係合孔２０２にそれぞれ係合し、背面カバー２０が筐体１０のフレーム２００に取り付けられる。
【００３８】
背面カバー２０は、上述したフック２１２の係合孔２０２に対する係合により、筐体１０のフレーム２００に取り付けることができる。ここでは図示を省略したが、背面カバー２０は、上述したフック２１２の係合に加えて、ネジを用いて筐体１０のフレーム２００に締結固定する構造を有してもよい。
【００３９】
以上のように、本実施形態の商品読取装置１００は、客に向けて上方に傾斜した背面２１を有する背面カバー２０を有するため、商品読取装置１００の前面側の作業スペースＳを十分に確保した上で、背面側のスペースも広くすることができる。その理由を以下に述べる。
【００４０】
第１に、筐体１０の前面１１を鉛直方向に沿った平らな面にすることで、店員による商品取り扱い時の作業性を向上させることができる。本実施形態では、スキャナユニット３０より前後方向の寸法が大きいプリンタユニット４０をスキャナユニット３０の下方に並べて筐体１０内に配置した。このため、スキャナユニット３０の前面３１を筐体１０の前面１１に面一に配置し、且つ、プリンタユニット４０の前面４１を筐体１０の前面１１と面一に配置すると、プリンタユニット４０の背面側がスキャナユニット３０より必然的に背面側に突出する。
【００４１】
第２に、背面カバー２０の背面２１を下方から上方に向けて前方へ傾斜させることで、商品読取装置１００の背面側のスペースを広くすることができる。上述したように、本実施形態では、プリンタユニット４０の背面側がスキャナユニット３０より後方に突出する。このため、プリンタユニット４０の前後方向のサイズに合わせて背面カバーを設けると、背面カバーの背面が鉛直方向に沿ったフラットな背面である場合、スキャナユニット３０の背面と背面カバーとの間に不要な空間が設けられてしまう。このような不要な空間は、客が通る通路を狭める存在になる。よって、本実施形態のように、背面カバー２０の背面２１を傾斜させることで、スキャナユニット３０の背面側の不要な空間を略無くすことができ、その分、商品読取装置１００の背面側のスペースを広くすることができる。
【００４２】
また、本実施形態によると、背面カバー２０の背面２１を上方に向けて傾斜させたため、背面２１を客から見易い角度に配置することができ、広告や案内表示を見易くすることができる。本実施形態の商品読取装置１００は、スキャナユニット３０の下にプリンタユニット４０を配置した比較的縦長の構造を有する。このため、背面カバー２０の背面２１の下の方が見え難い場合がある。これに対し、本実施形態のように、背面カバー２０の背面２１を上方に向けて傾斜させることで、背面２１の全体を見易くすることができる。
【００４３】
ところで、上述した商品読取装置１００の背面カバー２０は、図９および図１０に示すように、背面がフラットなフラットカバー３００（別の背面カバー）に付け替えることができる。このフラットカバー３００は、筐体１０の背面側に取り付けた状態（図９および図１０に示す状態）で、鉛直方向に沿った平らな面となる背面３０１を有する。背面３０１以外の構造は、上述した背面カバー２０と略同じである。つまり、このフラットカバー３００も、上述した背面カバー２０と同様に、２本のブラケット２１０を介して筐体１０のフレーム２００に着脱可能に取り付けることができる。
【００４４】
このフラットカバー３００は、鉛直方向に沿った傾斜していない背面３０１を有するため、上述した背面カバー２０とは異なり、プリンタユニット４０の突出した背面を覆うことができない。その分、このフラットカバー３００を取り付けた場合、商品読取装置１００の前後方向の寸法をより薄くすることができ、商品読取装置１００の前後のスペースをより大きくすることができる。
【００４５】
このフラットカバー３００は、図９および図１０に示すように、プリンタユニット４０を筐体１０の収容部１２から抜き出して別体として設置した場合に使用可能となる。この場合、筐体１０の収容部１２の前面が開放されるため、収容部１２内の空間を有効利用することができる。例えば、収容部１２内に、店員がサインインする指紋認証端末などを配置することができ、利便性を向上させることができる。つまり、本実施形態の商品読取装置１００は、背面カバー２０、３００を付け替えることで、少なくとも２種類の使い方が可能となり、装置レイアウトの自由度を高めることができる。
【００４６】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００４７】
例えば、上述した実施形態では、２種類の背面カバー２０、３００を付け替え可能なことを説明したが、これに限らず、３種類以上の背面カバーを用意することもできる。この場合、背面カバーの取り付け構造、すなわちブラケット２１０を用いて背面カバーを筐体１０に取り付ける構造を採用すれば、背面カバーの形状は任意に変更することができる。
【符号の説明】
【００４８】
１０…筐体、１１…前面、１２…収容部、２０…背面カバー、２１…背面、３０…スキャナユニット、３１…前面、４０…プリンタユニット、４１…前面、４５…筐体、１００…商品読取装置、２００…フレーム、２０１…サブフレーム、２１０…ブラケット、３００…フラットカバー、Ｓ…作業スペース。
【図１】
2019139580.tif 000003
【図２】
2019139580.tif 000004
【図３】
2019139580.tif 000005
【図４】
2019139580.tif 000006
【図５】
2019139580.tif 000007
【図６】
2019139580.tif 000008
【図７】
2019139580.tif 000009
【図８】
2019139580.tif 000010
【図９】
2019139580.tif 000011
【図１０】
2019139580.tif 000012